(57)【特許請求の範囲】
【請求項１】
衝撃が伝達される部材に一対の支持電極を設け、通電性を有する所定重量の可動子を一対の支持電極で振動により支持面から上下に離れることができるように支持し、一対の支持電極にリード線を接続し、しかも一対の支持電極にそれぞれ支持穴を設け、支持穴より大径の円柱状の可動子の両端を支持穴より小径に縮径し、可動子の縮径した両端部を支持電極の支持穴に挿入して可動子を支持し、一対の支持電極間に可動子を水平に支持し、衝撃による振動で可動子が支持電極から離れてリード線の電気的信号が変化することにより衝撃を感知する衝撃感知センサ。
【請求項２】
衝撃が伝達される部材に一対の支持電極を設け、通電性を有する所定重量の可動子を一対の支持電極で振動により支持面から上下に離れることができるように支持し、一対の支持電極にリード線を接続し、しかも一対の支持電極にそれぞれ支持穴を設け、支持穴より小径の円柱状の可動子を支持電極の支持穴に挿入して支持し、支持穴からの可動子の脱落を防止するストッパを設け、一対の支持電極間に可動子を水平に支持し、衝撃による振動で可動子が支持電極から離れてリード線の電気的信号が変化することにより衝撃を感知する衝撃感知センサ。
【請求項３】
衝撃が伝達される部材に一対の支持電極を設け、通電性を有する所定重量の可動子を一対の支持電極で振動により支持面から上下に離れることができるように支持し、一対の支持電極にリード線を接続し、しかも一対の支持電極にそれぞれ支持穴を設け、支持穴より広幅の板状の可動子の両端部を支持穴より狭幅にし、可動子の両端部を支持電極の支持穴に挿入して可動子を支持し、一対の支持電極間に可動子を水平に支持し、衝撃による振動で可動子が支持電極から離れてリード線の電気的信号が変化することにより衝撃を感知する衝撃感知センサ。
【請求項４】
衝撃が伝達される部材に一対の支持電極を設け、通電性を有する所定重量の可動子を一対の支持電極で振動により支持面から上下に離れることができるように支持し、一対の支持電極にリード線を接続し、しかも一対の支持電極にそれぞれ支持穴を設け、支持穴より狭幅の板状の可動子を支持電極の支持穴に挿入して可動子を支持し、支持穴からの可動子の脱落を防止するストッパを設け、一対の支持電極間に可動子を水平に支持し、衝撃による振動で可動子が支持電極から離れてリード線の電気的信号が変化することにより衝撃を感知する衝撃感知センサ。
【請求項５】
衝撃が伝達される部材に一対の支持電極を設け、通電性を有する所定重量の可動子を一対の支持電極で振動により支持面から上下に離れることができるように支持し、一対の支持電極にリード線を接続し、しかも一対の支持電極にそれぞれ支持切欠を設け、可動子に支持切欠に支持されるくびれ部を設け、可動子のくびれ部を支持電極の支持切欠に係着して可動子を垂直に支持し、可動子のくびれ部の下方に可動子の脱落を防止するストッパを設け、衝撃による振動で可動子が支持電極から離れてリード線の電気的信号が変化することにより衝撃を感知する衝撃感知センサ。
【請求項６】
遊技者がメダルを投入するメダル投入口と、外部からメダルを受け入れるメダル供給路と、メダルを外部へ排出するメダル排出路と、メダル供給路から受け入れたメダルを一時的に収容するメダルホッパと、メダルホッパ内のメダルを所定枚数吐出するメダル払い出し器と、メダル投入口に投入されたメダルをメダル排出路へ案内するメダル案内路とをメダル遊技設備本体内に設け、メダル遊技設備本体の下方にメダル遊技設備本体内のメダル排出路から排出されたメダルを回収するメダル回収ラインと、メダル遊技設備本体内のメダル排出路とメダル回収ラインとの間にメダル排出路から排出されたメダルをメダル回収ラインへ案内するメダル排出案内路を設けたメダル遊技設備であって、メダル遊技設備本体内のメダルホッパの外面に請求項１〜５いずれかに記載の衝撃感知センサを設け、メダルホッパ内へのメダルの供給を感知するようにしたメダル遊技設備。
【請求項７】
遊技者がメダルを投入するメダル投入口と、外部からメダルを受け入れるメダル供給路と、メダルを外部へ排出するメダル排出路と、メダル投入口に投入されたメダルをメダル排出路へ案内するメダル案内路と、メダル供給路から受け入れたメダルを一時的に収容するメダルホッパと、メダルホッパ内のメダルを所定枚数吐出する電動のメダル払い出し器と、メダル払い出し器により払い出されたメダルを受けるメダル受皿とをメダル遊技設備本体に設け、メダル遊技設備本体の下方にメダル遊技設備本体内のメダル排出路から排出されたメダルを回収するメダル回収ラインと、メダル遊技設備本体内のメダル排出路とメダル回収ラインとの間にメダル排出路から排出されたメダルをメダル回収ラインへ案内するメダル排出案内路を設けたメダル遊技設備であって、メダル遊技設備本体内のメダル払い出し器またはメダル払い出し器の振動が伝わる部材に請求項１〜５いずれかに記載の衝撃感知センサを設け、メダル払い出し器の作動の検出を行うようにしたメダル遊技設備。
【発明の詳細な説明】
【０００１】
【発明の属する技術分野】
本発明は、強い衝撃を受ける部材に取り付けられ、その部材に働く強い衝撃を感知するための衝撃感知センサであって、メダル・コイン・硬貨（以下メダルと総称する）の検出、ドア用開閉センサや窓ガラスの破損、その他防犯センサ、自動販売機の販売時の商品の排出の確認等に有用な衝撃感知センサに関する。
【０００２】
【従来の技術】
従来においては、図１９（ａ）に示すように発光部１０１から受光部１０２に向けて発せられた光を被検出物Ｍが遮断し、その信号により検出する非接触式の光学センサや、図１９（ｂ）に示すようにスイッチ１０３と連動した検出部１０４に被検出物Ｍが接触することによりスイッチ１０３が作動し、その信号により検出する接触式の機械センサが公知である。
従来では光学センサの場合、電気回路等が必要となるので構造が複雑になるとともに、精密機器のため衝撃に弱く故障しやすいという問題点があった。また機械センサの場合、被検出物Ｍが接触するたびに検出部１０４が徐々に疲労して破損する恐れがあり、強度や耐久性がなかった。
【０００３】
【発明が解決しようとする課題】
本発明が解決しようとする課題は、これらの問題点を解消し、簡単な構造で衝撃を感知でき、安価で耐久性に優れた衝撃感知センサを提供することにある。
【０００４】
【課題を解決するための手段】
かかる課題を解決した本発明の構成は、
１）  衝撃が伝達される部材に一対の支持電極を設け、通電性を有する所定重量の可動子を一対の支持電極で振動により支持面から上下に離れることができるように支持し、一対の支持電極にリード線を接続し、しかも一対の支持電極にそれぞれ支持穴を設け、支持穴より大径の円柱状の可動子の両端を支持穴より小径に縮径し、可動子の縮径した両端部を支持電極の支持穴に挿入して可動子を支持し、一対の支持電極間に可動子を水平に支持し、衝撃による振動で可動子が支持電極から離れてリード線の電気的信号が変化することにより衝撃を感知する衝撃感知センサ
２）  衝撃が伝達される部材に一対の支持電極を設け、通電性を有する所定重量の可動子を一対の支持電極で振動により支持面から上下に離れることができるように支持し、一対の支持電極にリード線を接続し、しかも一対の支持電極にそれぞれ支持穴を設け、支持穴より小径の円柱状の可動子を支持電極の支持穴に挿入して支持し、支持穴からの可動子の脱落を防止するストッパを設け、一対の支持電極間に可動子を水平に支持し、衝撃による振動で可動子が支持電極から離れてリード線の電気的信号が変化することにより衝撃を感知する衝撃感知センサ
３）  衝撃が伝達される部材に一対の支持電極を設け、通電性を有する所定重量の可動子を一対の支持電極で振動により支持面から上下に離れることができるように支持し、一対の支持電極にリード線を接続し、しかも一対の支持電極にそれぞれ支持穴を設け、支持穴より広幅の板状の可動子の両端部を支持穴より狭幅にし、可動子の両端部を支持電極の支持穴に挿入して可動子を支持し、一対の支持電極間に可動子を水平に支持し、衝撃による振動で可動子が支持電極から離れてリード線の電気的信号が変化することにより衝撃を感知する衝撃感知センサ
４）  衝撃が伝達される部材に一対の支持電極を設け、通電性を有する所定重量の可動子を一対の支持電極で振動により支持面から上下に離れることができるように支持し、一対の支持電極にリード線を接続し、しかも一対の支持電極にそれぞれ支持穴を設け、支持穴より狭幅の板状の可動子を支持電極の支持穴に挿入して可動子を支持し、支持穴からの可動子の脱落を防止するストッパを設け、一対の支持電極間に可動子を水平に支持し、衝撃による振動で可動子が支持電極から離れてリード線の電気的信号が変化することにより衝撃を感知する衝撃感知センサ
５）  衝撃が伝達される部材に一対の支持電極を設け、通電性を有する所定重量の可動子を一対の支持電極で振動により支持面から上下に離れることができるように支持し、一対の支持電極にリード線を接続し、しかも一対の支持電極にそれぞれ支持切欠を設け、可動子に支持切欠に支持されるくびれ部を設け、可動子のくびれ部を支持電極の支持切欠に係着して可動子を垂直に支持し、可動子のくびれ部の下方に可動子の脱落を防止するストッパを設け、衝撃による振動で可動子が支持電極から離れてリード線の電気的信号が変化することにより衝撃を感知する衝撃感知センサ
６）  遊技者がメダルを投入するメダル投入口と、外部からメダルを受け入れるメダル供給路と、メダルを外部へ排出するメダル排出路と、メダル供給路から受け入れたメダルを一時的に収容するメダルホッパと、メダルホッパ内のメダルを所定枚数吐出するメダル払い出し器と、メダル投入口に投入されたメダルをメダル排出路へ案内するメダル案内路とをメダル遊技設備本体内に設け、メダル遊技設備本体の下方にメダル遊技設備本体内のメダル排出路から排出されたメダルを回収するメダル回収ラインと、メダル遊技設備本体内のメダル排出路とメダル回収ラインとの間にメダル排出路から排出されたメダルをメダル回収ラインへ案内するメダル排出案内路を設けたメダル遊技設備であって、メダル遊技設備本体内のメダルホッパの外面に前記１）〜５）いずれかに記載の衝撃感知センサを設け、メダルホッパ内へのメダルの供給を感知するようにしたメダル遊技設備
７）  遊技者がメダルを投入するメダル投入口と、外部からメダルを受け入れるメダル供給路と、メダルを外部へ排出するメダル排出路と、メダル投入口に投入されたメダルをメダル排出路へ案内するメダル案内路と、メダル供給路から受け入れたメダルを一時的に収容するメダルホッパと、メダルホッパ内のメダルを所定枚数吐出する電動のメダル払い出し器と、メダル払い出し器により払い出されたメダルを受けるメダル受皿とをメダル遊技設備本体に設け、メダル遊技設備本体の下方にメダル遊技設備本体内のメダル排出路から排出されたメダルを回収するメダル回収ラインと、メダル遊技設備本体内のメダル排出路とメダル回収ラインとの間にメダル排出路から排出されたメダルをメダル回収ラインへ案内するメダル排出案内路を設けたメダル遊技設備であって、メダル遊技設備本体内のメダル払い出し器またはメダル払い出し器の振動が伝わる部材に前記１）〜５）いずれかに記載の衝撃感知センサを設け、メダル払い出し器の作動の検出を行うようにしたメダル遊技設備
にある。
【０００５】
【作用】
本発明では、常態では可動子が重力により支持電極に接しており、一対の支持電極間が導通状態となっている。衝撃が支持電極・可動子を振動させ、可動子が支持電極の支持面より一時的に離れ、一対の支持電極間が非導通状態となる。そして、可動子は重力により再び支持電極と接し、一対の支持電極間が導通状態となる。一対の支持電極間の導通、非導通状態のＯＮ・ＯＦＦをリード線から電気的信号として取り出され処理される。
脱落防止のストッパを設けたものは、繰り返される振動により可動子が支持電極の支持穴から横方向に脱落しようとすることがあってもストッパが可動子の端部を押え、脱落を防止する。
【０００６】
【発明の実施の形態】
支持電極はステンレス、銅等の通電性を有する材料が用いられる。支持電極はリベットやビス等の手段で衝撃が伝達される部材に強固に固定されるが、直接取り付けることが困難な位置であれば振動を伝達できるステーや支持板等を介して固定することもできる。支持電極の支持穴または支持切欠の寸法は一般に１５〜２５ｍｍ程度の範囲、支持電極間の間隔は一般に１５〜３０ｍｍ程度の範囲であるが、衝撃の規模に応じて任意に変更される。
可動子は支持電極と接して電気を流すため、支持電極と同様にステンレス、銅等の通電性を有する材料が用いられる。可動子の断面寸法としては、支持電極の支持穴とおよそ０．４〜０．６ｍｍの隙間を設けるように１０〜２０ｍｍ程度の範囲が好ましい。可動子の断面形状としては、真円、楕円、多角形など様々な形状が採用できる。可動子の重量としては、例えば衝撃を発生させる落下物が５ｇのメダル等であればおよそ５〜１０ｇのものが使用される。
電極間が衝撃振動によって非導通状態となる時間は、極めて短時間であり、非導通状態は短かい時間内に数回発生することが多い。この状態は振動の強さ、振動周波数・可動子の重さ等で変わる。
従って、一回の物品の落下・衝突に対して一個のパルスを対応させたいとき、又は、落下・衝撃が短時間に繰り返えされる状態に対して一つのパルスを、又はその状態にある時間帯と同じ時間帯の巾の長いパルスを発生させたいときは、波形整形器又は、タイマー等を用いた電子回路処理あるいはコンピュータソフト処理又はシ−ケンシャスリレ−回路等を用いて加工・処理するようにする。
リード線はコンピュータ等に接続されて感知信号を送信して処理される。
【０００７】
【実施例】
実施例１（図１〜６，１８参照）
実施例１は、メダル遊技設備本体内の外部から受け入れたメダルを一時的に収容するメダルホッパの外面に支持穴を形成した一対の支持電極を所定間隔に設け、支持穴より大径の円柱状可動子の両端部を支持穴より小径に縮径し、可動子の縮径した両端部を支持電極の支持穴に挿入して可動子を支持し、一対の支持電極とメダル供給検出回路をリード線で接続し、メダルホッパへのメダルの供給を検出できるようにしたメダル遊技設備の例である。
図１は実施例１の衝撃感知センサの斜視図である。図２は実施例１の衝撃感知センサの断面部である。図３は実施例１の衝撃感知センサの側面図である。図４は実施例１のメダル遊技設備本体の説明図である。図５は実施例１のメダル遊技設備本体内部の説明図である。図６は実施例１のメダルホッパの振動と衝撃感知センサの一対の支持電極間の導通状態と衝撃感知センサに接続したメダル供給検出回路の出力信号を示す説明図、図１８は実施例１のメダル供給検出回路の回路図である。
図中、１は衝撃感知センサ、２は支持電極、２ａは支持穴、３は可動子、３ａは可動子３の端部、４はリード線、１０はメダル遊技設備本体、１１はメダル供給ライン、１２はメダル取り込み装置、１３はメダル供給路、１４はメダルホッパ、１５はメダル投入口、１５ａはメダル投入検知センサ、１６ａ，１６ｂはメダル案内路、１７はメダル払い出し器、１８はタッチセンサ、１９はメダル排出路、２０はメダル排出案内路、２１はメダル回収ライン、２２はメダル供給検出回路、２２ａはメダル供給検出回路２２の信号を出力する出力信号線、ｍはメダルである。
【０００８】
実施例１の構造を詳しく説明すると、メダル遊技設備本体１０の前面にはメダル投入口１５を設けている。上方には外部からメダルｍを供給するメダル供給ライン１１とメダル供給ライン１１により供給されたメダルｍをメダル遊技設備本体１０に取り込むメダル取り込み装置１２を設けている。メダル取り込み装置１２の下方には、メダル供給路１３を設け、メダル供給路１３の下方には供給したメダルｍを一時的に収容しておくメダルホッパ１４を設けている。メダルホッパ１４の上部にはメダルホッパ１４内のメダルｍの量を検知するタッチセンサ１８を設け、メダルホッパ１４下方手前にはメダルｍを吐出するメダル払い出し器１７を設けている。メダル投入口１５の下方には投入されたメダルｍをメダル排出路１９に案内するメダル案内路１６ａ，１６ｂを設けている。メダルホッパ１４の側面にはメダルｍを排出するメダル排出路１９を設け、その下方に排出されたメダルｍをメダル回収ライン２１に案内するメダル排出案内路２０を設けている。メダル排出案内路２０の下方には排出されたメダルｍを図示しないメダル供給管理装置に搬送するメダル回収ライン２１を設けている。
メダルホッパ１４の下部の外面には、ステンレス製で直径１１ｍｍの支持穴２ａを形成した略Ｌ字状の一対の支持電極２，２を１５ｍｍの間隔をおいてリベットで固定している。可動子３はステンレス製で長さ１４ｍｍ、直径１２ｍｍ、重量７ｇの円柱状で、その端部３ａ，３ａを直径１０．５ｍｍに縮径している。この可動子３の端部３ａ，３ａを支持穴２ａ，２ａに挿入して支持し、支持穴２ａと可動子３の端部３ａの隙間ｄ１を０．５ｍｍ設け、支持電極２と可動子３の隙間ｄ２を０．５ｍｍ設けている。支持電極２，２からはリード線４，４を延設してメダル供給検出回路２２に接続している。メダル供給検出回路２２は出力信号線２２ａにより図示しないコンピュータに接続し、メダルｍの供給状態を確認できるようにしている。
【０００９】
実施例１の作動について説明すると、遊技者がメダル遊技設備本体１０の前面のメダル投入口１５にメダルｍを投入すると、メダル投入検知センサ１５ａから図示しないコンピュータに信号が送信される。そして、ゲームの結果でメダルホッパ１４内のメダルｍがメダル払い出し器１７により遊技者に所定枚数払い出される。メダル投入口１５に投入されたメダルｍはメダル案内路１６ａ，１６ｂによりメダル排出路１９に案内されメダル遊技設備本体１０外へ排出される。メダル遊技設備本体１０外に排出されたメダルｍはメダル排出路１９の下方に設けたメダル排出案内路２０によりメダル回収ライン２１へ案内される。メダル回収ライン２１により回収されたメダルｍは図示しないメダル供給装置に搬送され、メダル供給装置内で洗浄、乾燥され、再びメダル供給ライン１１によりメダル遊技設備本体１０へ供給される。メダル供給ライン１１からメダル取り込み装置１２により２００枚程のメダルｍがバッチ的に取り込まれ、メダル供給路１３によりメダル遊技設備本体１０内に供給される。メダル供給路１３により供給されたメダルｍはメダルホッパ１４に落下し一時的に収容される。
この２００枚程のメダルｍがメダルホッパ１４に短かい時間３０秒程で落下したときの衝撃がメダルホッパ１４の下部の外面に設けた支持電極２に伝達され、その衝撃で可動子３の端部３ａが支持電極２の支持穴２ａより一時的に離れて一対の支持電極２，２間が非導通状態となる。そして、可動子３は重力により落下して縮径した端部３ａが支持電極２の支持穴２ａと接し、電気が流れて一対の支持電極２，２間が導通状態となる。図６に示すように、メダルホッパ１４に落下したメダルｍの衝撃（図６（ａ）参照）が衝撃感知センサ１に伝わり、衝撃感知センサ１の一対の支持電極２，２間の導通、非導通状態のＯＮ・ＯＦＦの信号（図６（ｂ）参照）がメダル供給検出回路２２に送信される。その一定時間内に連続する信号はＣ１，Ｒ２により０．５秒程の放電の時定数を有するメダル供給検出回路２２により一つの出力信号となるように波形整形され（図６（ｃ）参照）、出力信号線２２ａにより図示しないコンピュータに送信される。送信された出力信号はメダルｍの落下によるメダルホッパ１４のメダル供給を受けている時間（３０秒）とほぼ同じ長さの信号となっており、メダルｍがメダルホッパ１４内に供給されていることが確認される。
【００１０】
実施例２（図７，８参照）
実施例２は、実施例１と同じメダル遊技設備本体内のメダル払い出し器の作動の振動が伝わるメダル払い出し器外面に実施例１に用いた同じ構造の衝撃感知センサを設け、メダル払い出し器の作動を確認できる装置を備えたメダル遊技設備の例である。
図７は実施例２のメダル遊技設備の説明図である。図８は実施例２のメダル払い出し器のモータの作動時間とメダル払い出し器の作動によるメダルホッパの振動と衝撃感知センサの一対の支持電極間の導通状態と衝撃感知センサに接続したメダル払い出し検出回路の出力信号を示す説明図である。
図中、１７はメダルホッパ１４内のメダルｍを所定枚数払い出すメダル払い出し器である。１７ａはメダル払い出し器１７により払い出されたメダルｍをメダル遊技設備本体１０の外部へ吐出するメダル払い出し通路である。１７ｂはメダル払い出し器１７を作動させるモータである。２３はメダル払い出し通路１７ａにより吐出されたメダルｍを受けるメダル受皿である。２４はメダル払い出し器１７を作動させるモータ１７ａの作動時間を検出するメダル払い出し検出回路である。２４ａはメダル払い出し検出回路２４の信号を出力する出力信号線である。２５はメダル遊技ゲーム機本体である。
【００１１】
実施例２では、遊技者がメダル投入口１５にメダルｍを投入するとゲームが開始され、そのゲームの結果でメダルホッパ１４内のメダルｍがメダル払い出し器１７により所定枚数払い出される。メダル払い出し器１７により払い出されたメダルｍはメダル払い出し通路１７ａによりメダル受皿２３に落下する。このときメダル払い出し器１７を作動させるモータ１７ｂの振動が衝撃感知センサ１に伝わる。図７に示すように、モータ１７ｂの作動時間（図８（ａ）参照）によるメダルホッパ１５の振動（図８（ｂ）参照）が衝撃感知センサ１に伝わり、衝撃感知センサ１の一対の支持電極間の導通、非導通状態のＯＮ・ＯＦＦの信号（図８（ｃ）参照）がメダル払い出し検出回路２４に送信される。その一定時間内に連続する信号はメダル払い出し検出回路２４により一つの出力信号となるように波形整形され（図８（ｄ）参照）、モータ１８ｂの作動時間の信号として出力信号線２４ａにより図示しないコンピュータに送信される。メダル払い出し器１７はメダルｍを１５枚払い出すのに２秒間程、５０枚払い出すのに５秒間程かかっている。送信された出力信号はそのモータ１７ｂが作動している時間と同じ長さの信号となっており、メダル払い出し器１７のモータ１７ｂの作動時間が検出される。
その他、符号、構成、作用は実施例１と同じである。尚、メダル払い出し検出回路２４は電子回路・コンピュータ・リレーシケンシャル回路を用いて行えるが、図２４の回路を用いて正確に作動時間を計算するときは、出力信号の時間から充電・放電時間のＣＲ時定数を考慮して補正される。
【００１２】
実施例３（図９，１０参照）
実施例３は一対の支持電極にそれぞれ可動子の脱落を防止するストッパを設けた衝撃感知センサの例である。
図９は実施例３の衝撃感知センサの斜視図である。図１０は実施例３の衝撃感知センサの取り付け例を示す説明図である。
図中、３１は衝撃感知センサ、３２は支持電極、３２ａは支持穴、３２ｂはストッパ、３３は可動子、３４はリード線である。
【００１３】
実施例３では、可動子３３は全体が支持電極３２の支持穴３２ａより小径に形成されている。繰り返される衝撃により可動子３３が横方向に動いて支持電極３２の支持穴３２ａから脱落しようとすることがあるが、支持電極３２のリード線３４取り付け面から垂直に立ち上げて形成したストッパ３２ｂで可動子３３の端部を押え脱落が防止される。
その他、符号、構成、作用は実施例１の衝撃感知センサ１と同じである。
【００１４】
実施例４（図１１，１２）参照
実施例４は可動子の形状を板状に形成した衝撃感知センサの例である。
図１１は実施例４の衝撃感知センサの斜視図である。図１２は実施例４の衝撃感知センサの取り付け例を示す説明図である。
図中、１４ａは支持板、４１は衝撃感知センサ、４２は支持電極、４２ａは支持穴、４３は可動子、４３ａは可動子４３の端部、４４はリード線である。
【００１５】
実施例４では、メダルホッパ１４の外面に支持電極４２を水平に取り付けるための支持板１４ａを設けている。一対の支持電極４２，４２にはそれぞれ四角形状の支持穴４２ａ，４２ａを設けている。可動子４３は板状で端部４３ａ，４３を支持電極４２の支持穴４２ａより狭幅に形成している。実施例４の衝撃感知センサ４１は実施例１の衝撃感知センサ１において、支持電極４２の支持穴４２ａと可動子４３の形状が異なるのみである。
その他、符号、構成、作用は実施例１の衝撃感知センサ１と同じである。
【００１６】
実施例５（図１３，１４参照）
実施例５は可動子の形状を板状に形成し、一対の支持電極にそれぞれ可動子の脱落を防止するストッパを設けた衝撃感知センサの例である。
図１３は実施例５の衝撃感知センサの斜視図である。図１４は実施例５の衝撃感知センサの取り付け例を示す説明図である。
図中、１４ａは支持板、５１は衝撃感知センサ、５２は支持電極、５２ａは支持穴、５２ｂはストッパ、５３は可動子、５４はリード線である。
【００１７】
実施例５では、可動子５３は板状で全体を支持電極５２の支持穴５２ａより狭幅に形成している。繰り返される衝撃により可動子５３が横方向に動いて支持電極５２の支持穴５２ａから脱落しようとすることがあるが、支持電極５２のリード線５４取り付け面から垂直に立ち上げて形成したストッパ５２ｂで可動子５３の端部を押え脱落が防止される。
その他、符号、構成、作用は実施例４の衝撃感知センサ４３と同じである。
【００１８】
実施例６（図１５〜１７参照）
実施例６は可動子を垂直に支持した衝撃感知センサの例である。
図１５は実施例６の衝撃感知センサの斜視図である。図１６は実施例６の衝撃感知センサの分解斜視図である。図１７は実施例６の衝撃感知センサの取り付け例を示す説明図である。
図中、１４ａは支持板、６１は衝撃感知センサ、６２は支持電極、６２ａは支持切欠、６３は可動子、６３ａはくびれ部、６３ｂはストッパ、６４はリード線である。
【００１９】
実施例６では、メダルホッパ１４の外面に支持電極６２と可動子６３を水平に支持するための支持板１４ａを設けている。一対の支持電極６２，６２は略Ｚ字状に折り曲げて一端にそれぞれ支持切欠６２ａを形成し、支持板１４ａに一定間隔に設けている。可動子６３は円柱状で下部に支持電極６２の支持切欠６２ａに係着される支持切欠６２ａより小径のくびれ部６３ａを設けている。その可動子６３を支持電極６２の支持切欠６２ａにくびれ部６３ａを係着して垂直に支持している。可動子６３のくびれ部６３ａの下方には可動子６３の脱落を防止する支持切欠６２ａより大径に拡径したストッパ６３ｂを設けている。
【００２０】
実施例６では、メダルホッパ１４にメダルｍが落下して衝撃が加わると、可動子６３は支持電極６２の支持切欠６２ａ面から一時的に上方に離れ、一対の支持電極６２，６２間が非導通状態となる。このとき、大きな衝撃により可動子６３が支持電極６２の支持切欠６２ａ面より大きく上方に離れても可動子６３の下方に設けたストッパ６３ｂが支持電極６２の支持切欠６２ａの裏面に接し、脱落が防止される。そして、可動子６３は重力により再び支持電極６２の支持切欠６２ａ面と接し、一対の支持電極６２，６２間が導通状態となる。一対の支持電極６２，６２の導通、非導通状態のＯＮ・ＯＦＦをリード線６４から電気的信号として取り出される。
【００３１】
【発明の効果】
本発明の衝撃感知センサによれば、落下物等と直接接触しないので損傷がなく、特段のメンテナンスをすることなく長期間使用することができ、耐久性に優れる。また、複雑で精密な部品は使っておらず簡単な構造で安価に構成できる。
脱落防止のストッパを設けたものは、繰り返される衝撃により可動子が支持電極の支持穴から脱落しようとすることがあってもストッパが可動子の端部を押え脱落を防止できる。
パチスロ機等のメダル遊技設備に衝撃感知センサを設けたものは、メダルが１日数万枚落下するような過酷な環境に対しても何ら不具合は発生せず長期に渡ってメダルの落下による衝撃を感知できる。
【図面の簡単な説明】
【図１】  実施例１の衝撃感知センサの斜視図である。
【図２】  実施例１の衝撃感知センサの断面図である。
【図３】  実施例１の衝撃感知センサの側面図である。
【図４】  実施例１のメダル遊技設備本体の説明図である。
【図５】  実施例１のメダル遊技設備本体内部の説明図である。
【図６】  実施例１のメダルホッパの振動と衝撃感知センサの一対の支持電極間の導通状態と衝撃感知センサに接続したメダル供給検出回路の出力信号を示す説明図である。
【図７】  実施例２のメダル遊技設備の説明図である。
【図８】  実施例２のメダル払い出し器のモータの作動時間とメダル払い出し器の作動によるメダルホッパの振動と衝撃感知センサの一対の支持電極間の導通状態と衝撃感知センサに接続したメダル払い出し検出回路の出力信号を示す説明図である。
【図９】  実施例３の衝撃感知センサ斜視図である。
【図１０】  実施例３の衝撃感知センサの取り付け例を示す説明図である。
【図１１】  実施例４の衝撃感知センサの斜視図である。
【図１２】  実施例４の衝撃感知センサの取り付け例を示す説明図である。
【図１３】  実施例５の衝撃感知センサの斜視図である。
【図１４】  実施例５の衝撃感知センサの取り付け例を示す説明図である。
【図１５】  実施例６の衝撃感知センサの斜視図である。
【図１６】  実施例６の衝撃感知センサの分解斜視図である。
【図１７】  実施例６の衝撃感知センサの取り付け例を示す説明図である。
【図１８】  実施例１のメダル供給回路の回路図である。
【図１９】  従来の落下物検出装置を示す説明図である。
【符号の説明】
１  衝撃感知センサ
２  支持電極
２ａ  支持穴
３  可動子
３ａ  端子
４  リード線
４ａ  リード線被覆カバー
１０  メダル遊技設備本体
１１  メダル供給ライン
１２  メダル取り込み装置
１３  メダル供給路
１４  メダルホッパ
１４ａ  支持板
１５  メダル投入口
１５ａ  メダル投入検知センサ
１６ａ，１６ｂ  メダル案内路
１７  メダル払い出し器
１８  タッチセンサ
１９  メダル排出路
２０  メダル排出案内路
２１  メダル回収ライン
２２  メダル供給検出回路
２２ａ  出力信号線
２３  メダル受皿
２４  メダル払い出し検出回路
２４ａ  出力信号線
２５  メダル遊技ゲーム機本体
３１  衝撃感知センサ
３２  支持電極
３２ａ  支持穴
３２ｂ  ストッパ
３３  可動子
３４  リード線
４１  衝撃感知センサ
４２  支持電極
４２ａ  支持穴
４３  可動子
４３ａ  端部
４４  リード線
５１  衝撃感知センサ
５２  支持電極
５２ａ  支持穴
５２ｂ  ストッパ
５３  可動子
５４  リード線
６１  衝撃感知センサ
６２  支持電極
６２ａ  支持切欠
６３  可動子
６３ａ  くびれ部
６３ｂ  ストッパ
６４  リード線
１０１  発光部
１０２  受光部
１０３  スイッチ
１０４  検出部
Ｍ  非検出物
ｍ  メダル
【図１】
0003717395.tif 000002
【図２】
0003717395.tif 000003
【図３】
0003717395.tif 000004
【図４】
0003717395.tif 000005
【図５】
0003717395.tif 000006
【図６】
0003717395.tif 000007
【図７】
0003717395.tif 000008
【図８】
0003717395.tif 000009
【図９】
0003717395.tif 000010
【図１０】
0003717395.tif 000011
【図１１】
0003717395.tif 000012
【図１２】
0003717395.tif 000013
【図１３】
0003717395.tif 000014
【図１４】
0003717395.tif 000015
【図１５】
0003717395.tif 000016
【図１６】
0003717395.tif 000017
【図１７】
0003717395.tif 000018
【図１８】
0003717395.tif 000019
【図１９】
0003717395.tif 000020